(57)【要約】  ローカル無線通信装置は、ＩＰモードでネットワークから少なくとも外部に対して通信するように構成された１つのＩＰアクセス・ポイント（１ｃ）と、少なくとも１つのポイントツーポイント通信プロトコルに従って少なくとも端末（４、５）と通信するように構成されたポイントツーポイント通信モジュール（１ａ）と、ＩＰアクセス・ポイント（１ｃ）をポイントツーポイント通信モジュール（１ａ）と通信可能にさせるように構成されたインターフェース（１ｂ）とを備え、前記端末（４、５）がローカル無線通信ネットワークの外部と通信することを可能にする。
2007531364.tif 000002
【特許請求の範囲】
【請求項１】
ＩＰモードでネットワークから少なくとも外部に対して通信するように構成された１つのＩＰアクセス・ポイント（１ｃ）と、
少なくとも１つのポイントツーポイント通信プロトコルに従って少なくとも端末（４、５）と通信するように構成されたポイントツーポイント通信モジュール（１ａ）と、
前記ＩＰアクセス・ポイント（１ｃ）を前記ポイントツーポイント通信モジュール（１ａ）と通信可能にさせるように構成された第１のインターフェース（１ｂ）とを備え、
前記第１のインターフェース（１ｂ）は、ＩＰモードで前記ＩＰアクセス・ポイントと通信する電子装置（２、３）に対して、少なくとも１つの仮想ポートの形態で提示され、前記第１のインターフェース（１ｂ）は、制御インストラクションにより、前記電子装置によって制御されるように構成されることを特徴とするローカル無線通信装置。
【請求項２】
前記ポイントツーポイント通信モジュール（１ａ）は、シリアル無線リンクによって前記端末（４、５）と通信するように構成されている、請求項１に記載のローカル無線通信装置。
【請求項３】
前記ポイントツーポイント通信モジュール（１ａ）は、「ＢＬＵＥＴＯＯＴＨ」プロトコルに従って、当該「ＢＬＵＥＴＯＯＴＨ」プロトコルにおける所定のシリアル・ポート・プロファイルを使用して前記端末（４、５）と通信するように構成されている、請求項２に記載のローカル無線通信装置。
【請求項４】
前記ＩＰアクセス・ポイント（１ｃ）は、インターネット・ネットワーク（６）と接続される、請求項１〜３の何れか１項に記載のローカル無線通信装置。
【請求項５】
ＩＰアクセス・ポイント（１ｃ）は、前記インターネット・ネットワーク（６）にアクセスするのに適したＡＤＳＬインターフェース（１ｄ）からなる、請求項４に記載のローカル無線通信装置。
【請求項６】
前記ＩＰアクセス・ポイント（１ｃ）は、ＩＰモードでローカル電子装置（２、３）と通信する、請求項１〜５の何れか１項に記載のローカル無線通信装置。
【請求項７】
前記ＩＰアクセス・ポイント（１ｃ）は、ＩＥＥＥ８０２．１１規格に従った無線チャンネルによって、ＩＰモードで無線電子装置（２、３）と通信する、請求項６に記載のローカル無線通信装置。
【請求項８】
前記ＩＰアクセス・ポイント（１ｃ）は、ＵＳＢリンクとイーサーネット・リンクとの間で選択されたリンクによって、ＩＰモードで前記ローカル電子装置（２、３）と通信する、請求項６に記載のローカル無線通信装置。
【請求項９】
さらに、前記電子装置（２、３）を備え、当該電子装置（２、３）は、前記仮想ポートの開放中に、前記アクセス・ポイント（２ｃ）に対応する所定のＩＰアドレスに接続され、「ＡＴ」インストラクションによって前記第１のインターフェース（１ｂ）を制御するように構成される、請求項１〜８の何れか１項に記載のローカル無線通信装置。
【請求項１０】
前記第１のインターフェース（１ｂ）は、無線によって前記ポイントツーポイント通信モジュール（１ａ）と通信するように構成された幾つかの端末（４、５）にそれぞれ対応する幾つかの仮想シリアル・ポートの形態で、前記ＩＰアクセス・ポイント（１ｃ）と通信する前記電子装置（２、３）に提示されるように構成される、請求項１〜９の何れか１項に記載のローカル無線通信装置。
【請求項１１】
前記第１のインターフェース（１ｂ）は、前記ＩＰアクセス・ポイントと通信する電子装置（２、３）に対し、前記ポイントツーポイント通信モジュール（１ａ）が通信可能な幾つかの端末（４、５）を示し、前記電子装置（２、３）および前記端末（４、５）との間の通信を前記ＩＰアクセス・ポイント（１ｃ）と通信する前記電子装置から受信したコマンドに従ってルーティングするように構成される、請求項１〜１０の何れか１項に記載のローカル無線通信装置。
【請求項１２】
前記ＩＰアクセス・ポイントと通信する前記電子装置（２、３）に対し、前記第１のインターフェース（１ｂ）によって示された端末（４、５）は、所定の端末であり、当該インターフェースによって予め認識される、請求項１１に記載のローカル無線通信装置。
【請求項１３】
前記第１のインターフェースは、前記ＩＰアクセス・ポイントによってＩＰモードで少なくとも１つの電子装置と通信し、当該電子装置は、少なくとも１つの機能を提供するように構成され、前記ポイントツーポイント通信モジュール（１ａ）は、前記機能（プリンタ、コンピュータ、ウエブサイトなど）を提供する装置として前記端末（４、５）に提示されるように構成される、請求項１〜１２の何れか１項に記載のローカル無線通信装置。
【請求項１４】
前記ポイントツーポイント通信モジュール（１ａ）は、前記端末（４、５）に対し、幾つかの機能を提供する幾つかの装置として提示されるように構成される、請求項１３に記載のローカル無線通信装置。
【請求項１５】
前記ポイントツーポイント通信モジュール（１ａ）は、「ＢＬＵＥＴＯＯＴＨ」プロトコルに従って前記端末（４、５）と通信し、「ＢＬＵＥＴＯＯＴＨ」モードにおいて自己を前記幾つかの装置のように識別させるように構成される、請求項１４に記載のローカル無線通信装置。
【請求項１６】
前記ポイントツーポイント通信モジュール（１ａ）は、前記端末（４、５）に対し、少なくともプリンタのように提示され、前記端末（４、５）からプリントされ、受信されるデータをＩＰモードで前記ＩＰアクセス・ポイント（１ｃ）と通信するプリンタ（３）にルーティングするように構成される、請求項１３〜１５の何れか１項に記載のローカル無線通信装置。
【請求項１７】
前記ポイントツーポイント通信モジュール（１ａ）は、少なくともシリアル・ポートのように前記端末（４、５）に提示され、前記端末（４、５）によって、ＩＰモードで前記ＩＰアクセス・ポイント（１ｃ）と通信する電子装置（２）に対して開始される通信をルーティングするように構成される、請求項１３〜１６の何れか１項に記載のローカル無線通信装置。
【請求項１８】
前記端末は、パーソナル・ディジタル・アシスタント（４）であり、前記電子装置は、ＩＰモードで前記ＩＰアクセス・ポイント（１ｃ）とローカル通信するコンピュータ（２）であり、前記ディジタル・アシスタント（４）および前記コンピュータ（２）は、前記ディジタル・アシスタントに格納されたデータおよび前記コンピュータに格納されたデータに従って所定のファイルを相互に更新するように構成される、請求項１７に記載のローカル無線通信装置。
【請求項１９】
前記第１のインターフェース（１ｂ）は、少なくとも前記端末（４、５）に対し、前記端末（４、５）が前記ＩＰアクセス・ポイント（１ｃ）によってＩＰモードで通信可能なエンティティ（２、３、６ａ）を示し、前記端末（４、５）から受信したコマンドに従って、前記端末（４、５）および前記エンティティ（２、３、６ａ）との間の通信の少なくとも幾らかをルーティングするように構成される、請求項１〜１８の何れか１項に記載のローカル無線通信装置。
【請求項２０】
前記第１インターフェース（１ｂ）は、前記端末（４、５）によって自動的に所定のエンティティ（２、３、６ａ）に向かって開始される通信の少なくとも幾らかをルーティングするように構成される、請求項１〜１９の何れか１項に記載のローカル無線通信装置。
【請求項２１】
前記第１のインターフェース（１ｂ）は、「ＯＢＥＸ」プロトコルに従って、一方である、前記アクセス・ポイント（１ｃ）とＩＰモードで通信するエンティティ（２、３、６ａ）と、他方である、前記端末（４、５）との間でオブジェクトを転送するように構成される、請求項１〜２０の何れか１項に記載のローカル無線通信装置。
【請求項２２】
前記第１のインターフェース（１ｂ）は、リクエストに応じて、前記端末（４、５）と所定のストレージ・エンティティ（２、６ａ）との間で前記端末（４、５）の前記オブジェクトを転送するように構成される、請求項１〜２１の何れか１項に記載のローカル無線通信装置。
【請求項２３】
前記第１のインターフェース（１ｂ）は、リクエストに応じて、前記端末（４、５）と前記ＩＰアクセス・ポイント（１ｃ）と通信する前記電子装置（２）との間で前記ＩＰアクセス・ポイント（１ｃ）とＩＰモードで通信する前記電子装置（２）のオブジェクトを転送するように構成される、請求項１〜２２の何れか１項に記載のローカル無線通信装置。
【請求項２４】
前記ポイントツーポイント通信モジュール（１ａ）、前記第１のインターフェース（１ｂ）、および前記ＩＰアクセス・ポイント（１ｃ）は、インターネット通信端末（１）内で組み合わせて設けられる、請求項１〜２３の何れか１項に記載のローカル無線通信装置。
【請求項２５】
前記仮想ポートは、シリアル・ポートである、請求項１〜２４の何れか１項に記載のローカル無線通信装置。
【請求項２６】
前記制御インストラクションは、「ＡＴ」タイプのインストラクションである、請求項１〜２５の何れか１項に記載のローカル無線通信装置。
【発明の詳細な説明】
【技術分野】
【０００１】
本発明は、ローカル無線通信装置に関する。
【０００２】
より具体的には、本発明は、
ＩＰモードでネットワークから少なくとも外部に対して通信するように構成された１つのＩＰアクセス・ポイントと、
少なくとも１つのポイントツーポイント通信プロトコルに従って少なくとも端末と通信するように構成されたポイントツーポイント通信モジュールと、
ＩＰアクセス・ポイントをポイントツーポイント通信モジュールと通信可能にさせるように構成された第１のインターフェースとを備えるローカル無線通信装置に関する。
【背景技術】
【０００３】
文献欧州特許出願公開第１３４３２８０号は、このような装置の例を開示している。
【発明の開示】
【０００４】
本発明の目的は、特に、ＩＰアクセス・ポイントと通信する電子装置およびポイントツーポイント通信モジュールと通信する端末との間の通信を容易に実現することにある。
【０００５】
この目的のため、本発明によれば、対象となるタイプのローカル無線ネットワークにおいて、第１のインターフェースは、ＩＰモードでＩＰアクセス・ポイントと通信する電子装置に対して、少なくとも１つの仮想ポートの形態で提示され、前記第１のインターフェースは、制御インストラクションにより、前記電子装置によって制御されるように構成されることを特徴とする。
【０００６】
一実施の形態によれば、前記仮想ポートは、シリアル・ポートである。
【０００７】
具体的な実施態様によれば、前記制御インストラクションは、「ＡＴ」タイプのものである。
【０００８】
なお、ポイントツーポイント通信モジュールおよびインターフェースは、物理的に単一の装置に含まれるようにすることができる。
【０００９】
これらの構成により、端末は、ＩＰネットワーク、例えば、ローカルに存在するコンピュータまたはプリンタ、インターネットなどと容易に通信することができる。
【００１０】
さらに、本発明の方法の別の実施の形態においては、以下の構成の１つ以上を採用することができる。
【００１１】
ポイントツーポイント通信モジュールは、シリアル無線リンクによって端末と通信するように構成されている。
【００１２】
ポイントツーポイント通信モジュールは、「ＢＬＵＥＴＯＯＴＨ」プロトコルに従って、当該「ＢＬＵＥＴＯＯＴＨ」プロトコルにおける所定のシリアル・ポート・プロファイルを使用して端末と通信するように構成されている。
【００１３】
ＩＰアクセス・ポイントは、インターネット・ネットワークに接続されている。
【００１４】
ＩＰアクセス・ポイントは、インターネット・ネットワークにアクセスするのに適したＡＤＳＬインターフェースからなる。
【００１５】
ＩＰアクセス・ポイントは、ＩＰモードでローカル電子装置（具体的には、コンピュータ）と通信する。
【００１６】
ＩＰアクセス・ポイントは、ＩＥＥＥ８０２．１１規格（具体的には、８０２．１１ｂ規格、または、８０２．１１ａ規格、８０２．１１ｇ規格の場合もある）に従った無線チャンネルによって、ＩＰモードで無線電子装置と通信する。
【００１７】
ＩＰアクセス・ポイントは、ＵＳＢリンクとイーサーネット・リンクとの間で選択されたリンクによって、ＩＰモードでローカル電子装置と通信する。
【００１８】
電子装置は、仮想リンク、例えば、シリアル・リンクの開放中に、前記アクセス・ポイントに対応する所定のＩＰアドレスに接続され、例えば、必ずしもではないが、「ＡＴ」タイプの制御インストラクションによって前記第１のインターフェースを制御するるように構成されている。
【００１９】
第１のインターフェースは、無線によってポイントツーポイント通信モジュールと通信するように構成された幾つかの端末にそれぞれ対応する幾つかの仮想シリアル・ポートの形態で、ＩＰアクセス・ポイントと通信する電子装置に提示されるように構成されている。
【００２０】
インターフェースは、ＩＰアクセス・ポイントと通信する電子装置に対し、ポイントツーポイント通信モジュールが通信可能な幾つかの端末を示し、電子装置および前記端末との間の通信をＩＰアクセス・ポイントと通信する前記電子装置から受信したコマンドに従ってルーティングするように構成される。
【００２１】
ＩＰアクセス・ポイントと通信する電子装置に対し、第１のインターフェースによって示された端末は、所定の端末であり、当該第１のインターフェースによって予め認識される。
【００２２】
第１のインターフェースは、ＩＰアクセス・ポイントによってＩＰモードで少なくとも１つの電子装置（ローカルの（プリンタ、コンピュータなど）、または、リモートの（具体的には、ウエブサイトをホストするサーバー））と通信し、当該電子装置は、少なくとも１つの機能を提供するように構成され、ポイントツーポイント通信モジュールは、前記機能（プリンタ、コンピュータ、ウエブサイトなど）を提供する装置として端末に提示されるように構成される。
【００２３】
ポイントツーポイント通信モジュールは、端末に対し、幾つかの機能を提供する幾つかの装置として提示されるように構成される（実際には、ＩＰネットワークによってインターフェースと通信する１つ以上の実在する装置によって提供される）。
【００２４】
ポイントツーポイント通信モジュール（１ａ）は、「ＢＬＵＥＴＯＯＴＨ」プロトコルに従って前記端末（４、５）と通信し、「ＢＬＵＥＴＯＯＴＨ」モードにおいて自己を前記幾つかの装置のように識別させるように構成される。
【００２５】
ポイントツーポイント通信モジュールは、端末に対し、少なくともプリンタのように提示され、端末からプリントされ、受信されるデータをＩＰモードでＩＰアクセス・ポイントと通信するプリンタにルーティングするように構成される。
【００２６】
ポイントツーポイント通信モジュールは、少なくともポート、例えば、シリアル・ポートのように端末に提示され、端末によって、ＩＰモードでＩＰアクセス・ポイントと通信する電子装置に対して開始される通信をルーティングするように構成される。
【００２７】
端末は、パーソナル・ディジタル・アシスタントであり、電子装置は、前記ＩＰアクセス・ポイントとＩＰモードでローカル通信するコンピュータであり、ディジタル・アシスタントおよびコンピュータは、前記ディジタル・アシスタントに格納されたデータおよび前記コンピュータに格納されたデータに従って所定のファイルを相互に更新するように構成されている（「同期化」）。
【００２８】
第１のインターフェースは、少なくとも端末に対し、前記端末が前記ＩＰアクセス・ポイントによってＩＰモードで通信可能なエンティティ（具体的には、コンピュータ、または、その他の電子装置、メモリ・ディレクトリ、ＩＰアドレスなど）を示し、前記端末から受信したコマンドに従って、前記端末および前記エンティティとの間の通信の少なくとも幾らかをルーティングするように構成されている。
【００２９】
第１のインターフェースは、前記端末によって自動的に所定のエンティティに向かって開始される通信の少なくとも幾らかをルーティングするように構成される。
【００３０】
第１のインターフェースは、「ＯＢＥＸ」プロトコル（ＩＲＤＡによって定められた規格）に従って、一方である、前記アクセス・ポイントとＩＰモードで通信するエンティティと、他方である、前記端末との間でオブジェクト（ソフトウエア上の意味：特に、ディジタル・フィルム、ディジタル・フォト、ディジタル・サウンド・レコーディングのファイルなど）を転送するように構成されている。
【００３１】
第１のインターフェースは、リクエストに応じて、端末と所定のストレージ・エンティティ（ＩＰアドレス、ＩＰアクセス・ポイントと通信するローカル・コンピュータ上のディレクトリなど）との間で端末のオブジェクトを転送するように構成されている。
【００３２】
第１のインターフェースは、リクエストに応じて、前記端末とＩＰアクセス・ポイントと通信する電子装置との間でＩＰアクセスポイントとＩＰモードで通信する電子装置のオブジェクトを転送するように構成されている。
【００３３】
ポイントツーポイント通信モジュール、第１のインターフェース、およびＩＰアクセス・ポイントは、インターネット通信端末内で組み合わせて設けられる。
【００３４】
本発明の他の特徴および利点は、以下の、限定を意図すること無しに例として提供された実施の形態の１つを添付の図面を参照して読むことによって明らかになるであろう。
【００３５】
各図面において、同じ参照符号は同一の、または、同様の要素を表す。
【発明を実施するための最良の形態】
【００３６】
図１に示すように、本発明は、例えば、幾つかのプロトコルに従って、例えば、コンピュータ２、プリンタ３、パーソナル・ディジタル・アシスタント（携帯情報端末）４、無線電話５、インターネット・ネットワーク６などの複数の異なるエンティティ（ｅｎｔｉｔｙ）と通信するように構成された端末１からなるローカル無線通信装置に関する。
【００３７】
端末１と、ここでは端末と呼ぶこれらのエンティティ（例えば、ディジタル・アシスタント４および無線電話５）の幾つかとの間の通信は、「ＢＬＵＥＴＯＯＴＨ」などのローカル無線通信規格に従って、無線チャンネルを介して得られる。
【００３８】
本発明によれば、この通信は、「ＢＬＵＥＴＯＯＴＨ」規格のために設けられたシリアル・ポート・プロファイルを使用して実行されるとよい。
【００３９】
さらに、端末１は、ＩＰモード、より正確には、ＴＣＰ／ＩＰモードでコンピュータ２、プリンタ３、およびインターネット・ネットワーク６と通信する。例えば、コンピュータ２および／またはプリンタ３は、「Ｗｉ‐Ｆｉ」と呼ばれるＩＥＥ８０２．１１ｂ規格（または、ＩＥＥＥ８０２．１１ａまたはｇの場合もある）に従った無線リンクによって、端末１とリンクすることが可能である。
【００４０】
変形例においては、端末１とコンピュータ２および／またはプリンタ３との通信は、イーサーネット・リンクまたはＵＳＢリンクによって行われる。これらの各装置は、必要な通信インターフェースを備える。
【００４１】
別の変形例においては、端末１がディジタル・アシスタント４や無線電話５と同じローカル無線通信プロトコル、具体的には、「ＢＬＵＥＴＯＯＴＨ」プロトコルに従ってコンピュータ２および／またはプリンタ３と通信するという設計が考えられる。これらの各装置は、必要な通信インターフェースを備える。
【００４２】
最後に、ここで考慮される例において、端末１は、さらに、インターネット・ネットワークと、同じように、ＩＰモード（ＴＣＰ／ＩＰプロトコル）で、具体的には、「ＡＤＳＬ」リンクで通信する。
【００４３】
図２において詳細に示すように、端末１は、特に、ポイントツーポイント（ｐｏｉｎｔ‐ｔｏ‐ｐｏｉｎｔ）通信モジュール、具体的には、本明細書で考慮されている例においては、ディジタル・アシスタント４および無線電話５と「ＢＬＵＥＴＯＯＴＨ」無線リンクＬ１によって通信する「ＢＬＵＥＴＯＯＴＨ」モジュール１ａ（ＢＴ）を備える。
【００４４】
さらに、端末１は、第１のインターフェース１ｂ（ＳＰＰＧＷ）を備える。この第１のインターフェース１ｂは、一般的に「ＢＬＵＥＴＯＯＴＨ」モジュール１ａとＩＰアクセス・ポイントを構成するモジュール１ｃとの通信を可能にするソフトウエア・アプリケーションから構成される。このＩＰアクセス・ポイント自体は、例えば、「ＡＤＳＬ」リンクＬ２とインターネット・ネットワークとの「ＡＤＳＬ」インターフェース１ｄであるか、ＩＥＥＥプロトコル８０２．１１ｂに従ったリンクＬ３とコンピュータ２、プリンタ２とのＷｉ‐Ｆｉインターフェース１ｅである。
【００４５】
なお、必要であれば、ポイントツーポイント通信モジュール１ａ、インターフェース１ｂ、およびアクセス・ポイント１ｃは、上述した端末１のような単一の装置に全て集積されずに、互いに通信する幾つかの装置に分かれて設けられる。
【００４６】
インターフェース１ｂにより、一方である、「ＢＬＵＥＴＯＯＴＨ」モジュール１ａにリンクされた端末４、５、と、他方である、ＩＰアクセス・ポイント１ｃにリンクされた装置２、３およびインターネット・ネットワーク６を互いに通信させることが可能である。
【００４７】
この目的のため、インターフェース１ｂは、端末４、５に対し、これらの端末４、５とＩＰアクセス・ポイント１ｃによって通信可能なエンティティを知らせることができるように構成されているとよい（対象となるエンティティは、例えば、装置２、３のほか、インターネット・サイト６ａ（Ｓ）に対応する少なくともひとつの所定のＩＰアドレス、サイトの一部、または、コンピュータ２のメモリ・ディレクトリ、または他のエンティティを含んでいる）。
【００４８】
対象となるエンティティは、所定の（予め割り当てられているもの）、および／またはＩＰアクセス・ポイント１ｃによってリアルタイムに定められるものである。エンティティが所定のものである場合は、これらのエンティティは、その全ての技術的な特性を含め、前もって端末１に記録される。エンティティについての情報が前もって知られていないが、そのプロフィールがアクセス・ポイント１ｃによって認識できる場合には、技術的な特性は、インターフェース１ｂによっても認識できる。そうでない場合には、認識されないエンティティに対する通信機能は、端末４、５側から開始されたアクションに関し、最小限に制限される（例えば、オブジェクトの送信に制限する）。
【００４９】
従って、端末４、５の一方より、上述したエンティティのうちの１つに対する通信が開始される場合、例えば、対象となる端末のスクリーン上に表示されるメニューにより、この対象となる端末と通信可能にすることが望まれるエンティティを選択できることがある。変形例においては、端末４、５の一方から開始された通信が上述したエンティティのうち、所与のエンティティに対して行われなければならないようにすることができ、この場合、端末４、５のユーザーには、選択肢は与えらない（特に、端末４、５が、端末１によって前もって認識されない場合）。
【００５０】
「ＢＬＵＥＴＯＯＴＨ」ローカル無線ネットワーク上に、ＩＰアクセス・ポイント１ｃと実際に通信する上述したエンティティによって提供される別個の機能に対応する幾つかの仮想エンティティとして、「ＢＬＵＥＴＯＯＴＨ」通信モジュール１ａが提示されるとよい（単一のエンティティが幾つかの機能に対応する場合もある）。この目的のため、端末１は、「ＢＬＵＥＴＯＯＴＨ」ネットワーク上では、幾つかの「ＢＬＵＥＴＯＯＴＨ」装置として識別される。
【００５１】
例えば、端末１を、端末４、５に対し、プリンタ（端末４、５の一方をプリンタ３と通信させるためのもの）と、シリアル・ポート（コンピュータ２を端末４、５の一方と通信させ、特に、これらの端末と、コンピュータ２との間のデータを「同期」させ、即ち、電話ディレクトリ、タスク・ディレクトリ、ダイアリや他の要素のデータを相互にアップデートさせるためのもの。このデータには、当初、端末４、５の一方に存在し、コンピュータ２に存在するものもある。）の両方として提示することができる。
【００５２】
さらに、インターフェース１ｂは、特に、コンピュータ２において、「ＡＴ」コマンドによってコンピュータ２によって制御可能な仮想シリアル・ポートを構成するものとして提示されるとよい。従って、コンピュータ２は、この仮想シリアル・ポートをシミュレートし、この仮想シリアル・リンクが開放されている間に端末１に対応する所定のＩＰアドレスに接続され、「ＡＴ」インストラクションによって端末（インターフェース１ｂ）を制御するように構成されたソフトウエア・アプリケーションからなる。
【００５３】
幾つかの端末４、５が「ＢＬＵＥＴＯＯＴＨ」通信モジュール１ａと通信可能である場合、インターフェース１ｂがコンピュータ２にこれらの端末を示すように構成されているとよい。
【００５４】
対象となる端末、またその技術的な特性は、所定のものとすることができ、この場合、対象となる端末および特性の情報は、コンピュータ２と通信する端末１とコンピュータ２との間のリンクが確立されるとすぐに、この端末１に格納される。そこで、現実に「ＢＬＵＥＴＯＯＴＨ」モジュール１ａにリンクされる端末４、５の特性のみがコンピュータ２に通信される場合が考えられる。
【００５５】
変形例においては、コンピュータ２と、前もって特定されずに「ＢＬＵＥＴＯＯＴＨ」モジュール１ａと通信する端末とのインターフェース１ｂ設けることもできる。この場合、対象となる端末の技術的特性がインターフェース１ｂによって認識されず、対象となる端末とコンピュータ２とが通信する可能性は、例えば、オブジェクトの送信のような、コンピュータ２から開始されるアクションに少なくとも関連した２、３の基本的な機能に限定される。
【００５６】
幾つかの端末４、５が「ＢＬＵＥＴＯＯＴＨ」通信モジュール１ａと通信する際、インターフェース１ｂは、自己をコンピュータ２に対し、「ＢＬＵＥＴＯＯＴＨ」通信モジュール１ａにリンクされる端末４、５と同じ数の仮想シリアル・ポートを構成するものとして提示する。
【００５７】
これらの構成により、コンピュータ２側または、ＩＰアクセス・ポイント１ｃとＩＰモードで通信する別の電子装置の側から、「ＢＬＵＥＴＯＯＴＨ」モジュール１ａにリンクされた１つ以上の端末４、５に対して通信を開始することが可能となる。
【００５８】
インターフェース１ｂは、「ＯＢＥＸ」プロトコル（ＩＲＤＡによって定められた規格）に従って、一方である、ＩＰアクセス・ポイント１ｃと通信するエンティティと、他方である、端末４、５のうちの一方との間で、ディジタル・フィルム、ディジタル・フォト、ディジタル・サウンド・レコーディングなどのオブジェクトを転送するように構成されているとよい。
【００５９】
上述した装置は、以下のように機能する。
【００６０】
端末４、５の一方の側から、例えば、上述したタイプのオブジェクトを、例えば、上述したウエブサイト６ａのような所定のエンティティ、コンピュータ２の所定のメモリ・ディレクトリ、または、他のエンティティに対して送信することが可能である（「オブジェクト・プッシング」）。
【００６１】
端末４、５の一方の側から、上述した所定のエンティティに存在するオブジェクトが送信されるようにすることが可能である（「オブジェクト・プリング」）。
【００６２】
コンピュータ２の側から、端末４、５の一方に対してオブジェクトを送信することが可能であり、さらに／または、必要であれば、これらの端末の一方に存在するオブジェクトが送信されるようにすることが可能である。
【００６３】
端末４、５の一方の側から、コンピュータ２に、上述した意味におけるデータの同期化を行うことが可能である。
【００６４】
コンピュータ２の側から、端末４、５の一方にデータを同期させることが可能である。
【００６５】
端末４、５の一方の側から、これらの端末の一方に存在するデータをプリンタ３によって印刷することが可能である。
【００６６】
当然のことながら、本発明に係るローカル無線通信装置が上述した特性の幾つかのみを提供し、上述し機能の幾つかのみを実行することも可能であろう。
【図面の簡単な説明】
【００６７】
【図１】図１は、本発明の実施の形態に係る無線通信装置の機能図である。
【図２】図２は、図１の装置に属するインターネット・コネクション端末を示すブロック図である。
【図１】
2007531364.tif 000003
【図２】
2007531364.tif 000004
【国際調査報告】
2007531364.tif 000005
2007531364.tif 000006
2007531364.tif 000007
2007531364.tif 000008
2007531364.tif 000009
2007531364.tif 000010